(57)【特許請求の範囲】
【請求項１】
無線通信装置において動作チャンネルの取得を促進するための方法であって、
該方法は、
該無線通信装置の現在の物理的位置を決定することと、
ＮＡＭ（Ｎｕｍｂｅｒ  Ａｓｓｉｇｎｍｅｎｔ  Ｍｏｄｕｌｅ）に関連した受信可能範囲エリア内の複数の座標点のうちの特定の座標点に、該現在の物理的位置を対応付けることと、
該受信可能範囲エリアに対応する該無線通信装置に格納された複数のＮＡＭ（Ｎｕｍｂｅｒ  Ａｓｓｉｇｎｍｅｎｔ  Ｍｏｄｕｌｅ）のうちの第１のＮＡＭを選択することであって、該第１のＮＡＭは、優先順位の付けられたチャンネルグループのＰＲＬ（Ｐｒｉｏｒｉｔｙ  Ｒｏａｍｉｎｇ  Ｌｉｓｔ）を含む、ことと、
該第１のＮＡＭの該優先順位の付けられたチャンネルグループのうちの少なくとも１つのチャンネルグループであって、該受信可能範囲エリアの該特定の座標点に対応するチャンネルグループを選択することと、
該動作チャンネルの取得を促進するために、該特定の座標点に対応する該選択された少なくとも１つのチャンネルグループをスキャンすることと、
該選択された少なくとも１つのチャンネルグループをスキャンした後に該無線通信装置が該動作チャンネルを取得し損ねた場合に、該優先順位の付けられたチャンネルグループのうちの他のチャンネルグループであって、該特定の座標点に対応しないチャンネルグループをスキャンすることと
を包含する、方法。
【請求項２】
前記現在の物理的位置を決定するステップは、定期的な決定であり、
該定期的に決定された現在の物理的位置に対応するように、前記特定の座標点をアップデートすることと、
前記優先順位の付けられたチャンネルグループのうちの少なくとも１つのチャンネルグループであって、該アップデートされた特定の座標点に対応するチャンネルグループを再選択することと、
前記動作チャンネルの取得を促進するために、該再選択された少なくとも１つのチャンネルグループをスキャンすることと
をさらに包含する、請求項１に記載の方法。
【請求項３】
緊急９１１通話をするために前記無線通信装置を起動することをさらに包含し、
前記特定の座標点に対応する前記選択された少なくとも１つのチャンネルグループをスキャンすることは、
所定の時間中に該選択された少なくとも１つのチャンネルグループの符号分割多重接続（ＣＤＭＡ）チャンネルのみをスキャンすることと、
該無線通信装置が該所定の時間内に該ＣＤＭＡチャンネルのうちの利用可能なＣＤＭＡチャンネルを取得し損ねた場合に、該選択された少なくとも１つのチャンネルグループの任意のチャンネルをスキャンすることと
を包含する、請求項１に記載の方法。
【請求項４】
前記無線通信装置の現在の物理的位置を決定することは、
該無線通信装置内の全地球測位システム（ＧＰＳ）モジュールからＧＰＳ位置情報を受け取ることと、
該ＧＰＳ位置情報に基づいて、該無線通信装置の該現在の物理的位置を決定することと
を包含する、請求項１に記載の方法。
【請求項５】
前記複数の座標点の総数は、前記受信可能範囲エリアの受信可能範囲エリアサイズに従って変化する、請求項１に記載の方法。
【請求項６】
前記無線通信装置を起動する第１のステップをさらに包含する、請求項１に記載の方法。
【請求項７】
無線通信装置において動作チャンネルの取得を促進するための方法であって、
該方法は、
（ａ）該無線通信装置を起動することと、
（ｂ）全地球測位システム（ＧＰＳ）位置情報を受け取ることと、
（ｃ）該無線通信装置に格納された複数のＮＡＭ（Ｎｕｍｂｅｒ  Ａｓｓｉｇｎｍｅｎｔ  Ｍｏｄｕｌｅ）に関連した複数の受信可能範囲エリアのうちの１つのＮＡＭに関連した１つの受信可能範囲エリアに、該ＧＰＳ位置情報を対応付けることと、
（ｄ）複数の座標点のうちの現在の座標点であって、該１つの受信可能範囲エリアに関連した座標点に、該ＧＰＳ位置情報を対応付けることと、
（ｅ）該１つの受信可能範囲エリアに対応するＮＡＭ（Ｎｕｍｂｅｒ  Ａｓｓｉｇｎｍｅｎｔ  Ｍｏｄｕｌｅ）を選択することであって、該ＮＡＭは、複数のチャンネルグループを含むＰＲＬ（Ｐｒｉｏｒｉｔｙ  Ｒｏａｍｉｎｇ  Ｌｉｓｔ）を有する、ことと、
（ｆ）該複数のチャンネルグループのうちの少なくとも１つの第１のスキャンチャンネルグループであって、該現在の座標点に関連した第１のスキャンチャンネルグループを選択することと、
（ｇ）該少なくとも１つの第１のスキャンチャンネルグループから開始して、取得を促進する順序で該ＰＲＬの該複数のチャンネルグループをスキャンすることと
を包含する、方法。
【請求項８】
前記ＰＲＬの前記複数のチャンネルグループは、優先順位を有しており、前記取得を促進する順序は、該優先順位とは異なる、請求項７に記載の方法。
【請求項９】
前記ＧＰＳ位置情報は、前記無線通信装置内のＧＰＳモジュールから受け取られる、請求項７に記載の方法。
【請求項１０】
前記ＧＰＳ位置情報は、定期的に受け取られ、
前記無線通信装置が新たな動作チャンネルを取得するときに、前記ステップ（ｃ）〜（ｇ）を繰り返すことをさらに包含する、請求項７に記載の方法。
【請求項１１】
無線通信装置において動作チャンネルの取得を促進するためのシステムであって、
該システムは、
該無線通信装置の現在の物理的位置を決定し、ＮＡＭ（Ｎｕｍｂｅｒ  Ａｓｓｉｇｎｍｅｎｔ  Ｍｏｄｕｌｅ）に関連した受信可能範囲エリア内の座標点に該現在の物理的位置を関連付けるロケーターサブシステムと、
該ロケーターサブシステムに接続されたＮＡＭ（Ｎｕｍｂｅｒ  Ａｓｓｉｇｎｍｅｎｔ
Ｍｏｄｕｌｅ）サブシステムと
を備え、
該ＮＡＭサブシステムは、
複数のＮＡＭ（Ｎｕｍｂｅｒ  Ａｓｓｉｇｎｍｅｎｔ  Ｍｏｄｕｌｅ）を格納するメモリであって、該複数のＮＡＭの各々は、優先順位の付けられたチャンネルグループのＰＲＬ（Ｐｒｉｏｒｉｔｙ  Ｒｏａｍｉｎｇ  Ｌｉｓｔ）を有する、メモリと、
該複数のＮＡＭのうちの第１のＮＡＭ（Ｎｕｍｂｅｒ  Ａｓｓｉｇｎｍｅｎｔ  Ｍｏｄｕｌｅ）に、該現在の物理的位置の該受信可能範囲エリアを相関させる相関器であって、該相関器は、該第１のＮＡＭの該優先順位の付けられたチャンネルグループのうちの少なくとも１つのチャンネルグループに、該現在の物理的位置の該座標点を相関させる、相関器と、
該動作チャンネルのスキャンを開始するために該第１のＮＡＭの該相関された少なくとも１つのチャンネルグループを無線通信インタフェースに供給し、該相関された少なくとも１つのチャンネルグループをスキャンした後に該無線通信インタフェースが該動作チャンネルを取得し損ねた場合に、該第１のＮＡＭの該優先順位の付けられたチャンネルグループのうちの他のチャンネルグループであって、該座標点と相関しないチャンネルグループを供給する出力ラインと
を備える、システム。
【請求項１２】
前記ＮＡＭサブシステムは、前記無線通信装置から開始された緊急通話を検出すると、所定の時間中に、前記出力ライン上に、前記相関された少なくとも１つのチャンネルグループの符号分割多重接続（ＣＤＭＡ）チャンネルのみを出力し、該無線通信装置が該所定の時間内に該ＣＤＭＡチャンネルのうちの利用可能なＣＤＭＡチャンネルを取得し損ねた場合に、該相関された少なくとも１つのチャンネルグループの任意のチャンネルを出力する、請求項１１に記載のシステム。
【請求項１３】
前記ロケーターサブシステムは、前記現在の物理的位置を供給する全地球測位システム（ＧＰＳ）サブシステムを含む、請求項１１に記載のシステム。
【請求項１４】
前記ＮＡＭサブシステムに接続されたユーザーインタフェースであって、前記複数のＮＡＭのうちのユーザー選択ＮＡＭを選択するユーザーインタフェースをさらに備え、
該ＮＡＭサブシステムは、該ユーザー選択ＮＡＭを前記第１のＮＡＭとして代用する、請求項１１に記載のシステム。
【請求項１５】
前記ロケーターサブシステムは、前記現在の物理的位置を定期的に決定するように構成される、請求項１１に記載のシステム。
【請求項１６】
無線通信装置において動作チャンネルの取得を促進するためのシステムであって、
該システムは、
該無線通信装置の複数の可能な地理的位置のうちの現在の地理的位置を識別するための全地球測位システム（ＧＰＳ）を有するロケーターサブシステムであって、該ロケーターサブシステムは、複数の事前に定義された受信可能範囲エリアのうちの該現在の地理的位置に関連付けられた１つの受信可能範囲エリア内の現在の座標点を決定し、ロケーターサブシステムの出力上に該現在の座標点および該１つの受信可能範囲エリアを位置信号において供給する、ロケーターサブシステムと、
該ロケーターサブシステムの出力に接続されたＮＡＭサブシステムと
を備え、
該ＮＡＭサブシステムは、
該位置信号を受け入れるための第１の入力と、
複数のＮＡＭ（Ｎｕｍｂｅｒ  Ａｓｓｉｇｎｍｅｎｔ  Ｍｏｄｕｌｅ）を構成する少なくとも１つのＮＡＭであって、該複数のＮＡＭの各々は、該複数の事前に定義された受信可能範囲エリアのうちの１つの受信可能範囲エリアと事前に関連付けられている、少なくとも１つのＮＡＭと、
該複数のＮＡＭのうちの第１のＮＡＭに該１つの受信可能範囲エリアを相関させる相関器であって、該相関された第１のＮＡＭは、関連したＰＲＬ（Ｐｒｉｏｒｉｔｙ  Ｒｏａｍｉｎｇ  Ｌｉｓｔ）を有し、該関連したＰＲＬは、複数のチャンネルグループを有し、該相関器は、該関連したＰＲＬの該複数のチャンネルグループのうちの少なくとも１つのチャンネルグループに、該現在の座標点をさらに相関させる、相関器と、
該動作チャンネルの取得を開始するために、該相関された少なくとも１つのチャンネルグループを含むチャンネル信号を供給する第１の出力と
を備える、システム。
【請求項１７】
前記チャンネル信号は、前記ＮＡＭサブシステムが前記ロケーターサブシステムの出力からの前記位置信号を受け入れたことに応答して、前記第１の出力上に供給される、請求項１６に記載のシステム。
【請求項１８】
前記ロケーターサブシステムは、前記現在の地理的位置を定期的に決定するように構成される、請求項１６に記載のシステム。
【請求項１９】
前記ＮＡＭサブシステムは、前記相関された少なくとも１つのチャンネルグループに加えて、前記関連したＰＲＬの前記複数のチャンネルグループをさらに供給する、請求項１６に記載のシステム。
【請求項２０】
前記ＮＡＭサブシステムは、緊急通話が前記無線通信装置からなされたことを示す緊急信号を受け入れるための第２の入力をさらに備え、
該緊急信号を受け入れることに応答して、該ＮＡＭサブシステムによって前記第１の出力上に供給されるチャンネル信号は、
所定の時間中では、前記関連したＰＲＬの前記相関された少なくとも１つのチャンネルグループからの符号分割多重接続（ＣＤＭＡ）チャンネルのみを含み、
該無線通信装置が該所定の時間内にＣＤＭＡチャンネルを取得し損ねた場合には、該関連したＰＲＬの該相関された少なくとも１つのチャンネルグループからの全てのチャンネルを含む、請求項１６に記載のシステム。
【発明の詳細な説明】
【技術分野】
【０００１】
本発明は一般的に、無線通信電話装置に関連し、より特定的には、無線電話装置を起動する場合にチャンネルを取得するためのシステムおよび方法に関連する。
【背景技術】
【０００２】
無線通信電話装置が最初に起動される場合、無線装置は、初期化情報および無線装置が接続し得るチャンネルのリストを取得しなければならない。初期化情報によって、無線装置は適切な無線キャリアチャンネルを検出し、キャリアシステム情報を取得できる。初期化情報は、典型的に、無線装置メモリに事前にロードされたＮＡＭ（Ｎｕｍｂｅｒ  Ａｓｓｉｇｎｍｅｎｔ  Ｍｏｄｕｌｅ）に含まれる。適切なＮＡＭはまた、無線装置ユーザーによって無線装置ユーザーインタフェースを用いて無線装置にロードされ得る。２つ以上のＮＡＭが無線装置メモリに事前にロードされる場合、無線装置ユーザーに現在の無線装置位置に適切なＮＡＭを手動で選択させることは周知である。しかしながら、無線装置は、適切なＮＡＭを自動で選択する手段を含まない。ＮＡＭは一般的に、大都市エリアなどのような比較的広い地理的エリアをカバーする。これらの地理的エリア内で、多くのセルまたは受信可能範囲エリアがあり得る。ＮＡＭにおけるＰＲＬ（Ｐｒｉｏｒｉｔｙ  Ｒｏａｍｉｎｇ  Ｌｉｓｔ）は一般的に、チャンネルグループのリストを含む。それぞれのチャンネルグループは、ＮＡＭによってカバーされるエリア内のチャンネル受信可能範囲エリアと関連し、それぞれのチャンネル受信可能範囲エリアのためのチャンネルを含む。典型的に、無線電話ユーザーは、特定のキャリアまたはプロバイダーからのサービス契約を有する。それぞれのネットワークキャリアは、無線装置が任意のチャンネル受信可能範囲エリアにおいて取得するチャンネルに関する優先度を有する。それゆえ、任意のチャンネルグループにおけるチャンネルは、キャリアの優先度にしたがってリストアップされる。ＰＲＬはまた、基地局ＮＩＤ（Ｎｅｔｗｏｒｋ  Ｉｄｅｎｔｉｆｉｃａｔｉｏｎ）のようなシステム情報を含む。
【０００３】
無線装置電話番号のような初期化情報が一度ロードされると、無線装置は、ＰＲＬにリストアップされるチャンネルをスキャンして、チャンネルの取得処理を開始する。一般的に、無線装置は、ＰＲＬにおける第１のチャンネルグループから開始し、ＰＲＬにリストされるグループの順序で、さらなるグループをスキャンする。無線装置はチャンネルをスキャンし、十分な信号強度を備えるパイロット信号を取得する。パイロット信号の取得後、無線装置は、ＮＩＤおよびＳＩＤ（Ｓｙｓｔｅｍ  Ｉｄｅｎｔｉｆｉｃａｔｉｏｎ）のようなパイロット信号チャンネルのためのシステム情報を含む関連の同期信号を取得する。無線装置はそれから、同期信号システム情報とＰＲＬにおけるチャンネルのためにリストアップされたシステム情報とを比較する。システム情報がマッチする場合、パイロット信号は現在の無線装置位置のための受信可能範囲エリア内の基地局からのもので、無線装置はパイロット信号チャンネルを取得する。さもなければ、パイロット信号は受信可能範囲エリア外の基地局からのもので、無線装置は、ＰＲＬにリストアップされる次のチャンネルから再びスキャンを開始する。
【０００４】
一部の場合、無線装置は、無線装置が最も最近接続したチャンネルをリストアップしているＭＲＵ（Ｍｏｓｔ  Ｒｅｃｅｎｔｌｙ  Ｕｓｅｄ）テーブルを含む。起動すると、無線装置はＭＲＵにリストアップされるチャンネルのスキャンを開始し得る。無線装置が最後に停止された位置から遠くに移動していない場合、ＭＲＵにおいて適切なチャンネルが検出され得る。さもなければ、ＭＲＵはもはや有用ではなく（つまり、ＭＲＵにおけるチャンネルは、無線装置が現在位置する受信可能範囲エリア以外の受信可能範囲エリアのため）、無線装置は上記のようにＰＲＬにおいてチャンネルをスキャンしなければならない。
【０００５】
上記のように無線装置が一度チャンネルを取得すると、周知のハンドオフ手順があり、無線装置が選択されたＮＡＭ受信可能範囲エリア内のさまざまなセルの間を移動すると、無線装置は異なるチャンネルを取得できる。しかしながら、無線装置が隣接するＮＡＭ受信可能範囲エリアに移動する場合、選択されたＮＡＭが初期化情報または隣接するＮＡＭのＰＲＬを含まないために、周知のハンドオフ手順は用いられ得ない。この場合、無線装置は深いスリープ状態になる。つまり、無線装置は、選択されたＮＡＭに関連するパイロット信号のためにスキャンを続けるが、電池の使用を最小にするためにスキャンの間の時間が増大する。選択されたＮＡＭのために受信可能範囲エリアから出る場合に新しいＮＡＭを手動でロードすることは周知である。しかしながら、上記のように、無線装置は適切なＮＡＭを自動選択できない。
【０００６】
ＰＲＬは多くのチャンネルを含み得る。それゆえ、ＰＲＬのリストの上から開始してチャンネルをスキャンしてチャンネルを取得することは著しく多くの時間を費やし得て、望ましいチャンネルグループがＰＲＬにリストされるチャンネルグループの終わりに近い場合は特にそうである。あいにく、無線装置は、ＰＲＬからのチャンネルをスキャンしながら、ページ受信のような通信機能を実行することは不可能である。それゆえ、ＰＲＬのチャンネルスキャンの間、無線装置ユーザーは装置の使用を奪われ、キャリアは収益となる活動を奪われる。これらの同一の不利益はまた、無線装置が選択されたＮＡＭのために受信可能範囲エリア外に移動し、動作チャンネルを失う場合に当てはまる。さらに、長いスキャン時間は無線装置電源に余計な負担をかける。
【０００７】
無線装置を起動する際に、チャンネルを取得するために必要な時間が減少され得るならば有利である。
【発明の開示】
【課題を解決するための手段】
【０００８】
本発明は、無線通信電話装置における動作チャンネルの取得に関する課題を扱う。本発明は、ＰＲＬ（Ｐｒｅｆｅｒｒｅｄ  Ｒｏａｍｉｎｇ  Ｌｉｓｔ）においてチャンネルをスキャニングしてチャンネルを取得することは、著しく多くの時間を費やし得るということを認識している。本発明はまた、無線装置がＰＲＬからのチャンネルをスキャンしながらページ受信のような通信機能を実行できないことを認識している。本発明は、無線装置に対する地理的位置情報を用いることで現在の無線装置位置に対応するＮＡＭ（Ｎｕｍｂｅｒ  Ａｓｓｉｇｎｍｅｎｔ  Ｍｏｄｕｌｅ）を選択して、これらの課題に取り組む。本発明はまた、地理的位置情報を用いて、選択されたＮＡＭのためにＰＲＬにおけるチャンネルを識別する。
【０００９】
したがって、無線通信電話装置において動作チャンネルの取得を促進するための方法が提供される。この方法は、無線通信電話装置を起動し、無線装置の地理的位置を識別する。この方法は、ＮＡＭと地理的位置情報を関連付け、ＮＡＭを選択する。この方法はまた、選択されたＮＡＭにおいてＰＲＬ（Ｐｒｉｏｒｉｔｙ  Ｒｏａｍｉｎｇ  Ｌｉｓｔ）における所定のチャンネルグループと地理的位置情報を関連付け、チャンネルグループを選択する。この方法は、選択されたチャンネルグループにおけるチャンネルから開始して、ＰＲＬにおけるチャンネルをスキャンする。
【００１０】
上記方法の更なる詳細および無線通信電話装置において動作チャンネルの取得を促進するためのシステムが次に提供される。
【発明を実施するための最良の形態】
【００１１】
図１は、本発明にしたがって、無線通信電話装置において動作チャンネルの取得を促進するためのシステム１００を描く概略的なブロック図である。システム１００は無線通信電話装置１０２に適用可能である。上記の背景技術において記載されたように、無線装置が最初に起動させられる場合、無線装置はＮＡＭ（Ｎｕｍｂｅｒ  Ａｓｓｉｇｎｍｅｎｔ  Ｍｏｄｕｌｅ）から無線装置の現在位置に適切な初期情報にアクセスし、適切なＮＡＭにリストアップされる一つのチャンネルを取得しなければならない。システム１００によって、無線装置１０２はこのＮＡＭを決定し、アクセスし、このＮＡＭにリストアップされるチャンネルの取得を促進することができる。システム１００は、ロケーターサブシステム１０４およびＮＡＭサブシステム１０６を含む。ロケーターサブシステム１０４は、無線装置１０２の現在の地理的位置を識別し、位置信号における位置を、出力からライン１１０に時間間隔で供給する。ロケーターサブシステム１０４は定期的な間隔で位置信号を供給し得て、その周波数は各々のアプリケーションの必要条件を満たすように調整され得る。位置信号は、無線装置の地理的位置を定義する座標における座標点を含む。
【００１２】
ＮＡＭサブシステム１０６は少なくとも１つのＮＡＭを含む。ＮＡＭサブシステム１０６におけるそれぞれのＮＡＭは、それぞれのＮＡＭの受信可能範囲エリアを定義する地理的位置情報と関連する。つまり、典型的な２次元直交面座標に対して、それぞれのＮＡＭはＮＡＭの受信可能範囲内の座標点を参照する。そのような座標点の数は、受信可能範囲エリアのサイズおよび座標の目盛によって決まる。システム１００は特定の座標に限定されていないことが理解される。ＮＡＭサブシステム１０６は、ライン１１０上の位置信号を受け取るために第１の入力を有する。ＮＡＭサブシステム１０６は、記憶装置におけるどのＮＡＭが位置信号における座標点に対応するかを決定し、そのＮＡＭを選択する。ＮＡＭサブシステム１０６は、選択されたＮＡＭからライン１１２上に初期情報を供給するための出力を含む。
【００１３】
ＮＡＭサブシステム１０６におけるそれぞれのＮＡＭは、所定のチャンネルグループを備えるＰＲＬ（Ｐｒｉｏｒｉｔｙ  Ｒｏａｍｉｎｇ  Ｌｉｓｔ）を含む。上記の背景技術に記載されたように、無線装置が適切なＮＡＭを選択した後に、選択されたＮＡＭに対してＰＲＬにリストアップされたチャンネルグループのスキャン処理を開始する。ＮＡＭサブシステム１０６におけるＮＡＭに対して上記されたように、サブシステム１０６におけるＮＡＭでのチャンネルグループは、それぞれのチャンネルグループの受信可能範囲エリアを定義する地理的位置情報に関連する。ＮＡＭサブシステム１０６は、選択されたＮＡＭに対するＰＲＬのどのチャンネルグループが位置信号における座標点に対応するかを決定し、そのチャンネルグループを選択する。ＮＡＭサブシステム１０６は、ライン１１６上に、出力のチャンネル信号における選択されたチャンネルグループにおいてリストアップされるチャンネルを供給する。このように、無線装置１０２は、ＮＡＭの受信可能範囲エリア内での無線装置の位置に関係なく、ＰＲＬにおけるチャンネルグループリストアップの初めに始まる時間のかかるチャンネルのスキャン処理を回避する。つまり、スキャンは、無線装置１０２が設置されるキャリアセルに関連すると周知であるこれらのチャンネルから開始する。上記の背景技術において記載されたように、キャリアは、チャンネルグループ受信可能範囲エリアにおいてチャンネルを取得するための好ましい順位があり、選択されたチャンネルグループにおけるチャンネルは、チャンネル信号において好ましい順序にキャリアで提示される。
【００１４】
上記の背景技術において記載されたように、無線装置は、選択されたＮＡＭ受信可能範囲エリアから出る場合、典型的に深いスリープ状態になる。しかしながら、無線装置１０２が選択されたＮＡＭ受信可能範囲エリアから出る場合、ＮＡＭサブシステム１０６は、上記のように、アップデートされた位置信号における位置情報を用いて新しいＮＡＭおよび新しいＰＲＬチャンネルグループを選択する。
【００１５】
Ｅ９１１  Ｐｈａｓｅ  ＩＩは、ポジション位置要求を含む。つまり、９１１緊急通話を設置する無線装置は所定の時間内に位置情報を供給すると考えられる。この位置情報を供給する１つの方法はＣＤＭＡ（符号分割多重接続）チャンネルを取得することである。しかしながら、９１１通話のためのチャンネルを取得するための典型的なパターンはＡＭＰＳ（Ａｄｖａｎｃｅｄ  Ｍｏｂｉｌｅ  Ｐｈｏｎｅ  Ｓｅｒｖｉｃｅ）チャンネルを取得する方向に偏っている。システム１００は、９１１通話のため、ＣＤＭＡチャンネルを取得する可能性を高めるために用いられる。ＮＡＭサブシステムは、ライン１１８で緊急信号を受け取るための入力を有し、緊急信号は、緊急通話が無線装置１０２から設けられたことを示す。ライン１１８で緊急信号を、ライン１１０で位置信号を受け取ることに応じて、ＮＡＭサブシステム１０６は次のようにライン１１６上にチャンネル信号を供給する。所定の時間中、選択されたチャンネルグループからのＣＤＭＡチャンネルのみがチャンネル信号に含まれ、それにより、無線装置１０２はＣＤＭＡチャンネルを取得し、Ｅ９１１  Ｐｈａｓｅ  ＩＩポジション位置情報を供給する機会を有する。しかしながら、位置情報要求は、緊急隊員とできる限り迅速に連絡を取る必要とのバランスをとらなければならないため、ＣＤＭＡチャンネルを取得する所定の時間が制限される。所定の時間の長さの決定は、システム１００の範囲外で起こる。無線装置１０２が所定時間終了までにＣＤＭＡチャンネルを取得しない場合、ＮＡＭサブシステム１０６は選択されたＰＲＬチャンネルグループからすべてのチャンネルを供給する。つまり、位置情報を提供するチャンネルの性能に関係なく、無線装置１０２は第１の利用可能なチャンネルを取得する。
【００１６】
一部の実施形態において、ロケーターシステム１０４はＧＰＳ（全地球測位システム）サブシステム１２０を含む。ＧＰＳサブシステム１２０は、ＧＰＳサテライト（図示されず）から無線装置１０２のＧＰＳ位置情報を受け取り、ライン１１０上のロケーターサブシステム１０４出力に結合する出力にＧＰＳ情報を供給する。ロケーターサブシステム１０４は位置信号におけるＧＰＳ位置情報を供給する。代替に、ロケーターサブシステム１０４は外部ソース（図示されず）から位置ポジション情報を受け取る。
【００１７】
上記の背景技術において記載されたように、無線装置メモリからＮＡＭを手動で選択するためにユーザーインタフェースが用いられ得る。それゆえ、システム１００はまたユーザーインタフェース１２２を含み、該インタフェースは、ライン１２４上に、ＮＡＭサブシステム１０６に格納されるＮＡＭを識別するユーザー選択信号を供給する出力を有する。、。ＮＡＭサブシステム１０６はライン１２４上のユーザー選択信号を取得するための入力を含み、ユーザー選択信号において識別されるＮＡＭを選択する。ＮＡＭの選択に続いて、上記のように、ＮＡＭサブシステム１０６によって初期化およびチャンネル信号が供給される。
【００１８】
図２は、本発明に従い、無線通信電話装置において動作チャンネルの取得を促進する方法を示すフローチャートである。図２（および下の図３）における方法は明確さのために番号付けされたステップの連続として描かれているが、明確に述べられない場合は番号付けから順序が推察されるべきではない。これらのステップの一部は、省略されたり、並行に実行されたり、連続する順序が厳密に保たれる必要なく実行され得ることが理解されるべきである。方法はステップ２００から開始する。ステップ２０２において無線通信電話装置が起動される。ステップ２０４において、現在の無線装置の地理的位置が識別される。ステップ２０６において、地理的位置情報を用いてＮＡＭ情報を選択する。ステップ２０８において、選択されたＮＡＭ情報を用いて動作チャンネルの取得を促進する。ステップ２１０において、地理的位置情報と選択されたＮＡＭにおけるＰＲＬでの所定のチャンネルグループとを関連付ける。ステップ２１２において、ＰＲＬチャンネルグループを選択する。ステップ２１４において、ＰＲＬチャンネルグループにおけるチャンネルから開始するＰＲＬにおけるチャンネルをスキャンする。
【００１９】
方法の一局面において、ステップ２０２において無線通信電話装置を起動することは、緊急９１１通話をするための無線通信装置の起動を含む。それから、ステップ２１４において、ＰＲＬチャンネルグループにおけるチャンネルから開始するＰＲＬにおけるチャンネルをスキャンすることは、所定の時間中にＣＤＭＡ（符号分割多重接続）チャンネルのみをスキャンすることと、無線装置が所定の時間内にＣＤＭＡチャンネルを取得し損ねた後にＰＲＬチャンネルグループにおける任意のチャンネルをスキャンすることとを含む。
【００２０】
方法の別の局面において、ステップ２０４で現在の無線装置の地理的位置を識別することは、ＧＰＳ（全地球測位システム）位置情報を受け取ることと、無線装置の地理的情報を識別するためにＧＰＳ位置情報を用いることとを含む。
【００２１】
図３は、図２において説明された方法をさらに示すフローチャートである。方法はステップ３００より始まる。ステップ３０２において、地理的位置情報とＮＡＭを関連付ける。ステップ３０４において、ＮＡＭを選択する。ステップ３０６において、無線装置メモリからＮＡＭを選択する。ステップ３０８において、事前に選択したＮＡＭから情報を選択する。ステップ３１０において、事前に選択されたＮＡＭは無線装置ユーザーインタフェースを用いる。
【００２２】
無線通信電話装置において動作チャンネルの取得を促進するためのシステムおよび方法が提供される。無線通信電話装置を用いて本発明の例が利用可能とされてきた。しかしながら、本発明は無線電話装置に限定されていないことが理解されるべきである。本発明のシステムおよび方法は、任意の無線通信装置および位置依存情報を選択する任意の携帯機器に適用可能である。本発明の他の変化および実施形態が当業者に生じる。
【００２３】
本発明は特定の実施形態に参照して記載されてきたが、記載は、本発明の適用の例に過ぎず、限定として捉えられるべきではない。したがって、開示された実施形態の特徴のさまざまな適応および結合は、添付の請求項に包含される本発明の範囲内である。
【図面の簡単な説明】
【００２４】
【図１】本発明に従い、無線通信電話装置における、動作チャンネル取得促進のためのシステムを描く概略的なブロック図である。
【図２】本発明に従い、無線通信電話装置において、動作チャンネル取得を促進する方法を示すフローチャートである。
【図３】図２に示される方法をさらに示すフローチャートである。
【図１】
0004434201.tif 000002
【図２】
0004434201.tif 000003
【図３】
0004434201.tif 000004